(57)【要約】【課題】  相手側電話機との通話状況に合わせてスピーカ用アッテネータの減衰量を設定できるハンズフリー装置を提供することを目的とする。【解決手段】  ハンズフリー装置１は、移動電話機本体２と、マイク６用のＴｘアッテネータ１６、スピーカ７用のＲｘアッテネータ１７、ＴｘアッテネータとＲｘアッテネータの減衰量を選定し、設定するアッテネータ制御部１５からなる。さらにアッテネータ制御部に接続する減衰量記憶部１２と相手側の電話機の種類を判別する相手側電話判別部１４を備えている。また、ハンズフリー装置１は、ナビゲーション・システム５に接続し、ＧＰＳ装置からなる現在位置検出部２１からの現在位置データを、アッテネータ制御部が読み出す。アッテネータ制御部は、電話機の種類に応じ、固定電話機の場合は、市外局番と現在位置に基づき減衰量記憶部から減衰量を選定し、設定する。【選択図】    図１
2005150816.tif 000002
【特許請求の範囲】
【請求項１】
相手側からの音声信号を設定された量だけ減衰させて自分側の電話機のスピーカに出力するスピーカ用アッテネータと、前記スピーカ用アッテネータの減衰量を設定制御するアッテネータ制御部を備えるハンズフリー装置において、
前記相手側の電話機の電話番号に対応した減衰量を予め記憶しておく減衰量記憶部を備え、
前記アッテネータ制御部は、前記相手側の電話機の電話番号に基づいて、前記減衰量記憶部から前記減衰量を選定し、設定することを特徴とするハンズフリー装置。
【請求項２】
さらに、前記相手側の電話機の種類を判別する相手側電話判別部を備え、
前記アッテネータ制御部は、前記相手側の電話機の種類に応じて所定の減衰量を選定し、設定することを特徴とする請求項１に記載のハンズフリー装置。
【請求項３】
さらに、前記自分側の現在位置を検出する現在位置検出手段を備え、
前記減衰量記憶部は、前記相手側の電話機の電話番号に対応した所在地と、前記自分側の現在位置との組み合わせに対応した減衰量を予め記憶しており、
前記アッテネータ制御部は、前記相手側の電話機の電話番号と前記自分側の現在位置に基づいて、前記減衰量記憶部から前記減衰量を選定し、設定することを特徴とする請求項１または２に記載のハンズフリー装置。
【請求項４】
前記減衰量記憶部に記憶される減衰量は、前記相手側の電話機の電話番号に対応させて、相手側の電話機の固定電話機か移動電話機かの種類、相手側の固定電話機の所在地、相手側の電話機使用者、相手側の電話機の通信事業者の少なくともいずれか１に基づいて設定されていることを特徴とする請求項１に記載のハンズフリー装置。
【請求項５】
相手側の音声信号を設定された量だけ減衰させて自分側の電話機のスピーカに出力するスピーカ用アッテネータと、スピーカ用アッテネータの減衰量を設定制御するアッテネータ制御部を備えるハンズフリー装置において、
前記スピーカ用アッテネータの減衰量を手動で設定可能とする入力部と、
前記入力部を用いて設定された前記スピーカ用アッテネータの減衰量を、電話番号とともに記憶する電話番号・減衰量登録部とを備え、
前記アッテネータ制御部は、前記相手側の電話番号が前記電話番号・減衰量登録部に登録されている場合は、その電話番号に基づいて前記電話番号・減衰量登録部から前記減衰量を選定し、登録されていない場合は標準の減衰量を選定し、設定することを特徴とするハンズフリー装置。
【請求項６】
さらに、前記スピーカ用アッテネータの減衰量を手動で設定可能とする入力部と、
前記入力部を用いて設定された前記スピーカ用アッテネータの減衰量を、電話番号とともに記憶する電話番号・減衰量登録部とを備え、
前記アッテネータ制御部は、前記相手側の電話番号が前記電話番号・減衰量登録部に登録されている場合は、その電話番号に基づいて前記電話番号・減衰量登録部から前記減衰量を選定し、設定することを特徴とする請求項２から４のいずれか１に記載のハンズフリー装置。
【請求項７】
相手側の電話機の電話番号に基づいて、前記相手側の電話機の電話番号に対応して予め記憶した減衰量データから所定の減衰量を選定し、前記相手側の音声信号を減衰させてスピーカに出力するハンズフリー装置のアッテネータ制御方法。
【発明の詳細な説明】
【技術分野】
【０００１】
本発明は、電話機において、機器に手を触れることなく通話のできるいわゆるハンズフリー通話を実現するためのハンズフリー装置に関する。
【背景技術】
【０００２】
近年、電話機の多機能化が進み、家庭用の電話機でもハンズフリー機能をもつものが多く見られる。このハンズフリー機能によれば、電話機の使用者の手が塞がっている場合にも、手放しで通話をすることができる。ハンズフリー機能を実現するために、電話機内には、ハンズフリー回路が組み込まれる。ハンズフリー回路は、自分の声が相手側の電話機においてスピーカからマイクに回り込みハウリングやエコーを起こすようなことが無いように、逆に相手側の声が自分側の電話機においてスピーカからマイクに入り込みハウリングやエコーを起こすようなことが無いように、工夫された回路である。アナログ回路では、入力信号と回り込み信号との位相がほぼ一致するからハウリングを生じる。ディジタル回路では入力信号が演算処理により遅延されて回り込むからエコーを生じる。
【０００３】
こうした現象が生じると正常な通話の妨げになるから、ハンズフリー回路には、自分が話をし、相手が話をしていないときは、相手側においてスピーカからマイクへ回り込んで入って、自分側のスピーカに戻る信号を適当に減衰させるスピーカ用アッテネータが組み込まれている。また、逆に、相手が話をし、自分が話をしていないときは、自分側においてスピーカからマイクへ回り込んで入って相手側のスピーカに送られる信号を適当に減衰させるマイク用アッテネータが組み込まれている。
【０００４】
ところで、上記のような従来の技術には次のような解決すべき課題があった。自分側の送話音声信号や相手側からの受話音声信号を減衰させるためのアッテネータは、アッテネータ制御部によって、その減衰量を動的に切り替え制御される。即ちアッテネータ制御部は、自分側の送話音声信号レベルと受話音声信号レベルを監視して、自分側か相手側のいずれか一方が音声を発しているときは、スピーカ用アッテネータかマイク用アッテネータのいずれかを動作させる。このときは、一方のアッテネータは入力信号を設定量だけ減衰させ、他方のアッテネータは入力信号をそのまま減衰させずに出力する。
【０００５】
通話中に、こうした制御が行われると、音声を発する側が交代するたびに交互にアッテネータが動作する。ところが、これによって、受話音声を聞くためのスピーカから出力される音が、突然大きくなったり小さくなったりして、違和感を生じるほど聴きづらくなるという問題があった。
【０００６】
そこで、マイク用アッテネータとスピーカ用アッテネータの減衰量を多段階に可変制御できるものとし、アッテネータ制御部が送話音声信号入力レベルと受話音声信号入力レベルとを比較して、予め減衰量設定器に設定された減衰量から減衰量を選定し、マイク用アッテネータとスピーカ用アッテネータを制御するハンズフリー装置が開示されている（特許文献１参照）。
【特許文献１】特開平１１−２９８５９７号公報
【発明の開示】
【発明が解決しようとする課題】
【０００７】
しかしながら、特許文献１で開示された技術は、送話音声信号入力レベルと受話声音信号入力レベルとを比較して、予め決められた減衰量から選定、設定するものであり、通話状況に応じたきめ細かい通話品質を保つようなアッテネータの設定ができないという問題がある。
【０００８】
本発明は、上記の問題点を解決するために、相手側との通話状況に合わせたアッテネータの減衰量を設定できるハンズフリー装置を提供することを目的とする。
【課題を解決するための手段】
【０００９】
このため、本発明は、相手側からの音声信号を設定された量だけ減衰させて自分側の電話機のスピーカに出力するスピーカ用アッテネータと、スピーカ用アッテネータの減衰量を設定制御するアッテネータ制御部を備えるハンズフリー装置において、相手側の電話機の電話番号に対応した減衰量を予め記憶しておく減衰量記憶部を備え、アッテネータ制御部は、相手側の電話機の電話番号に基づいて、減衰量記憶部から減衰量を選定し、設定するものとした。
【発明の効果】
【００１０】
本発明により、相手側の電話機の電話番号から特定できる通話状況に合わせた対応ができるので、きめ細かい最適な通話品質が確保できる。
【発明を実施するための最良の形態】
【００１１】
以下本発明の実施の形態を実施例により説明する。
【実施例１】
【００１２】
図１は第１の実施例のハンズフリー装置のブロック構成図である。
ハンズフリー装置１は、移動電話機本体２と、マイク６からの送話音声信号レベルを所定量減衰させ移動電話機本体２に出力するＴｘアッテネータ１６、移動電話機本体２からの受話音声信号レベルを所定量減衰させ、スピーカ７に出力するＲｘアッテネータ１７、Ｔｘアッテネータ１６、Ｒｘアッテネータ１７に減衰量を可変に設定して、音声信号レベルを減衰させる制御をするアッテネータ制御部１５からなる。
【００１３】
ハンズフリー装置１は、さらにアッテネータ制御部１５に接続する減衰量記憶部１２と相手側の電話機の種類を判別する相手側電話判別部１４を備えている。
また、ハンズフリー装置１は、ナビゲーション・システム５に接続し、ＧＰＳ装置からなる現在位置検出部２１からの現在位置データを、アッテネータ制御部１５が読み込む。
【００１４】
以下に、各構成についてより詳細に説明する。
移動電話機本体２は、図示省略の電源スイッチ、通話開始／終了スイッチ、数字キー、カーソル移動スイッチ、決定スイッチなどの入力部と、ディスプレイ、不揮発メモリを備え、受信、番号入力による発信、不揮発メモリに記憶された電話番号を選択しての発信の通常の通話機能のほかに、入力部を用いて、移動電話機本体２の各種の機能を設定したり変更したりできる。
【００１５】
各種機能の例として、入力部を用いてアッテネータ制御部１５に対して、送話音声信号レベルを変更させたり、逆に受話音声信号レベルを変更させたり、そのレベルを不揮発メモリに記憶させる機能がある。
本実施例では、さらにそのように設定した送話音声信号レベルまたは受話音声信号レベルに対応したＴｘアッテネータ１６、Ｒｘアッテネータ１７の減衰量を、減衰量記憶部１２に、所定の形式で記憶させる機能を有する。
【００１６】
アッテネータ制御部１５は、着信した電話の相手電話番号、または発信するときの相手の電話番号に応じて、必要に応じてナビゲーション・システム５の現在位置検出部２１から現在位置を問い合わせ、相手の電話番号、または相手の電話番号および自分の現在位置情報とに基づいて、減衰量記憶部１２から、適切なＴｘアッテネータ１６、Ｒｘアッテネータ１７の減衰量を検索して選定し、設定する。
【００１７】
減衰量記憶部１２は、アッテネータ制御部１５が、電話番号に応じてＴｘアッテネータ１６、Ｒｘアッテネータ１７の減衰量を選定可能に、図２に示すようなテーブル形式で記憶保持している。
このデータは、移動電話機本体２の入力部の操作で設定変更可能であるが、出荷時に予め記憶させておくと便利である。
相手側の電話機が一般回線の固定電話機の場合は、（ａ）のテーブルで示すように、欄の左から（１）市外局番、（２）市外局番の対応する所在地例えば県名、（３）自分のいる現在位置を例えば県名、（４）アッテネータ減衰量のスピーカ用設定値、（５）アッテネータ減衰量のマイク用設定値の順で記憶している。
なお、（３）欄の自分のいる現在位置を県名で表示しているのは、記憶データをディスプレイに表示させたとき、使用者に分かりやすいように地名表示でしているものであり、減衰量記憶部１２は、表示されていない地名に対応するコードも記憶している。
【００１８】
相手側の電話機が移動電話機の場合は、図２の（ｂ）のテーブルで示すように、欄の左から（１）移動電話の冒頭の番号例えば「０９０」とか「０７０」、（４）アッテネータ減衰量のスピーカ用設定値、（５）アッテネータ減衰量のマイク用設定値の順で記憶している。（２）、（３）の欄のデータはブランクである。
この場合、出荷時に予め、相手側の電話機および自分側の電話機も市場占有率の大きい通信事業者の移動電話機と仮定して、首都圏での使用を前提にアッテネータの減衰量を標準設定として記憶させておく。移動電話機は、固定電話機と比較して電話機自身に音声レベルなどの音質自動調整機能が付与されていることが多いので、相手側の電話機の場所による影響を受けにくいので、このような標準的な減衰量の設定で十分である。
【００１９】
受信したときに、相手側の電話番号を取得できなかった場合は、図２の（ｃ）のテーブルで示すように、欄の左から（４）アッテネータ減衰量のスピーカ用設定値、（５）アッテネータ減衰量のマイク用設定値の順で記憶している。（１）、（２）、（３）の欄のデータはブランクである。
この場合、出荷時に予め、相手側の電話機は一般回線の固定電話機、自分側の電話機は移動電話機であり、相手側の電話機も自分側の電話機も市場占有率の大きい通信事業者の電話機と仮定して、首都圏での使用を前提にアッテネータの減衰量を標準設定して記憶させておく。
このように、プリセットの標準的な減衰量を市場占有率の大きい通信事業者の電話機を対象に首都圏での使用を前提に記憶させておくことにより、本ハンズフリー装置を利用する可能性の高い使用者に好都合な減衰量設定値を記憶させておくことができる。
【００２０】
相手側電話判別部１４は、移動電話機本体２が受信したときの、または逆に発信するときの、相手側の電話番号から、相手側の電話機が一般回線の固定電話機かまたは移動電話機かの種類を判別する。判別した結果はアッテネータ制御部１５に入力される。
【００２１】
ナビゲーション・システム５は、通常の道路地図データ格納および地図検索機能、道路案内機能、経路設定機能、現在位置検出部２１による現在位置検出機能を有し、アッテネータ制御部１５から現在位置の質問が来たとき、現在位置を地図上で確認し、例えば県名を判定してその県名に対応した所定のコードで応答する。
【００２２】
なお、実際の構成では、相手側電話判別部１４、アッテネータ制御部１５は、１つのＣＰＵで構成され、減衰量記憶部１２はそのＣＰＵに接続した不揮発メモリである。また、このＣＰＵは移動電話機本体２のＣＰＵと兼用しても良い。
【００２３】
図１には、自分側の移動電話機本体２と無線通信している無線基地局３１、無線基地局３１に接続する通信ネットワーク８と、ネットワーク８に接続した相手側固定電話機３、ネットワーク８に接続した無線基地局３２に無線で接続している相手側移動電話機４を示してある。
【００２４】
本実施例の作用を以下に説明する。図３は本ハンズフリー装置で電話を掛けるまたは受ける場合の、アッテネータの減衰量を設定する制御の流れを示すフローチャートである。
ステップ１０１では、移動電話機本体２は、着信か発信かを判断する。着信の場合はステップ１０２に進み、発信の場合はステップ１０３に進む。
ステップ１０２では、移動電話機本体２は、相手側電話番号つまり着信電話番号を受信信号から取得できたかどうかチェックする。着信電話番号の検出は、例えばデジタルセルラーホン共通仕様書などに記載されている無線基地局と移動電話機のシーケンスに準拠して行う。
ステップ１０２で、相手側の電話番号を取得できたときはステップ１０３に進む。取得できなかったときは、ステップ１０９に進み、アッテネータ制御部１５が、減衰量記憶部１２の記憶格納データから、図２の（ｃ）の着信電話番号を取得できなかった場合のマイク用設定値およびスピーカ用設定値それぞれのアッテネータの減衰量を選定する。その後ステップ１０７に進む。
【００２５】
ステップ１０３では、相手側電話判別部１４は、相手側の電話番号、つまり着信電話番号または発信先の電話番号の頭の３桁をチェックして、相手側電話番号が固定電話であるか、移動電話であるかを判別する。電話番号の頭の３桁が「０７０」または「０９０」である場合は、移動電話機であると判別してステップ１１０に進み、それ以外の場合は固定電話機であると判別してステップ１０４に進む。
ステップ１１０では、アッテネータ制御部１５が、減衰量記憶部１２の記憶格納データから、図２の（ｂ）の移動電話機に対応するマイク用設定値およびスピーカ用設定値それぞれのアッテネータの減衰量を選定する。その後ステップ１０７に進む。
【００２６】
ステップ１０４では、アッテネータ制御部１５は、相手側の電話番号から市外局番を読み出し、相手側電話機の所在地を特定する。例えば電話番号の頭から２桁が「０３」なら東京都内、３桁が「０４４」、「０４５」、「０４６」なら神奈川と特定する。
ステップ１０５では、アッテネータ制御部１５は、現在位置検出部２１から現在位置に対応した県名に対応したコードを取得して、自分側の電話機つまり移動電話機２の現在位置を特定する。
ステップ１０６では、アッテネータ制御部１５は、特定した相手側の固定電話機の所在地と、自分側つまり自分の現在位置に基づいて、減衰量記憶部１２に格納されている図２の（ａ）のデータから、マイク用設定値およびスピーカ用設定値それぞれのアッテネータの減衰量を選定する。その後ステップ１０７に進む。
【００２７】
ステップ１０７では、アッテネータ制御部１５は、選定したマイク用設定値およびスピーカ用設定値の減衰量に、Ｔｘアッテネータ１６、Ｒｘアッテネータ１７を設定する。
ステップ１０７の後、ステップ１０８で移動電話機本体２は、通話を開始する。
本実施例のＲｘアッテネータ１７はスピーカ用アッテネータに対応する。
【００２８】
以上のように本実施の形態によれば、相手側の電話番号から固定電話機か移動電話機かの種類を判別し、移動電話機の場合は移動電話機の標準的なアッテネータの減衰量に設定する。相手側が固定電話機の場合は相手側の所在地と自分の現在位置から、固定電話回線の距離に依存した特性を反映して記憶されたアッテネータの減衰量を選定できるようにしているのでアッテネータの減衰量の最適設定値を選定することができる。
【実施例２】
【００２９】
図４は第２の実施例のハンズフリー装置のブロック構成図である。
第１実施例と同一の構成については、同一の符号を付して説明を省略する。
ハンズフリー装置１’は、移動電話機本体２と、Ｔｘアッテネータ１６、Ｒｘアッテネータ１７、アッテネータ制御部１５’、登録された電話番号に対応した減衰量を記憶格納する電話番号・減衰量登録部１２’からなる。
【００３０】
電話番号・減衰量登録部１２’は、アッテネータ制御部１５’が、電話番号に応じてＴｘアッテネータ１６、Ｒｘアッテネータ１７の減衰量を選定可能に図５に示すようなテーブル形式で記憶保持している。
テーブルの欄の左から例えば、（１）市外局番からの一連の固定電話番号または移動電話番号、（２）相手側の名前、（３）電話機の種類、つまり固定電話機／移動電話機、（４）移動電話機の通信事業者名（移動機通信事業者）、（５）アッテネータ減衰量のスピーカ用設定値、（６）アッテネータ減衰量のマイク用設定値の順で記憶している。
このデータは、一度通話したときに、使用者が最適なアッテネータの減衰量に移動電話機本体２の入力部を操作して設定した場合に、予め記憶させておく。なお、この電話番号・減衰量登録部１２’は、移動電話機本体２の使用者が電話番号を登録しておく不揮発メモリと兼用しても良い。
【００３１】
本実施例の作用を以下に説明する。図６は本ハンズフリー装置で電話を掛けるまたは受ける場合のアッテネータの減衰量を設定する制御の流れを示すフローチャートである。
ステップ２０１では、移動電話機本体２は、着信か発信かを判断する。着信の場合はステップ２０２に進み、発信の場合はステップ２０３に進む。
ステップ２０２では、移動電話機本体２は、相手側電話番号つまり着信電話番号が受信信号から取得できたかどうかチェックする。
ステップ２０２で、相手側の電話番号を取得できたときはステップ２０３に進み、取得できなかったときは、ステップ２０７に進む。
【００３２】
ステップ２０３では、アッテネータ制御部１５’が、相手側の電話番号、つまり着信電話番号または発信先の電話番号が、電話番号・減衰量登録部１２’に登録されている電話番号かどうかをチェックする。登録されている場合は、ステップ２０４に進み、登録されていない場合はステップ２０７に進む。
ステップ２０４では、アッテネータ制御部１５’が、電話番号・減衰量登録１２’の記憶格納データから、電話番号に対応するマイク用設定値およびスピーカ用設定値それぞれのアッテネータの減衰量を選定する。その後ステップ２０５に進む。
【００３３】
ステップ２０２またはステップ２０３の後ステップ２０７に進むと、アッテネータ制御部１５’が、アッテネータの減衰量として、相手側の電話機が都内の固定電話と仮定した標準のマイク用設定値およびスピーカ用設定値を選定する。その後ステップ２０５に進む。
【００３４】
ステップ２０５では、アッテネータ制御部１５’は、選定したマイク用設定値およびスピーカ用設定値の減衰量に、Ｔｘアッテネータ１６、Ｒｘアッテネータ１７を設定する。
ステップ２０５の後、ステップ２０６で移動電話機本体２は、通話を開始する。
本実施例のＲｘアッテネータ１７はスピーカ用アッテネータに対応する。
【００３５】
ハンズフリー装置におけるマイク用、スピーカ用のアッテネータの最適な減衰量の設定は、相手側からの音声レベル、自分側の音声レベル、音質、電話機および回線のエコー特性などのトータルバランスを考えた上で、決めるものである。
エコーを抑制しようとすれば送話と受話の音声レベルを小さくすれば良いが、そうすると聞き取りにくくなる。エコー特性は電話機、電話回線の特性にも依存するので一概に送話音声信号入力レベルと受話声音信号入力レベルとだけで、アッテネータの最適設定値は決まらない。また、受話音声信号レベルは相手側の個人の声の大きさによっても異なるので、アッテネータの減衰量の最適設定値を選定することはさらに難しい。
【００３６】
以上のように本実施の形態によれば、相手側の電話番号から相手の電話番号が固定電話機か移動電話機か、固定電話機の場合は相手側の所在地に依存した特性、移動機通信事業者、相手の音声特性などを考慮して、通話時に自分で設定したアテネータの減衰量を、相手側の電話番号とともに、登録格納しておくので、次回から発信または受信のときにすでに登録された電話番号であれば、自動的に最適のアッテネータの減衰量を選定することができる。
【００３７】
なお、第１の実施例と第２の実施例を組み合わせて、アッテネータ制御部が、相手側の電話番号が電話番号・減衰量登録部１２’に登録されている場合は、電話番号・減衰量登録部１２’から電話番号に基づいてアッテネータの減衰量を選定し、登録されていない場合は第１の実施例のアッテネータ制御部１５のようにアッテネータの減衰量を選定しても良い。
これにより、高頻度で特定の相手に現在位置エリア内から電話を掛けたり受けたりする場合は、登録された個別の電話番号毎の最適のアッテネータの設定でハンズフリーの電話ができ、登録されていない相手との通話の場合も、固定電話機の場合に相手側の所在地を反映したアッテネータの設定がなされ、音声品質の良い通話ができる。
【図面の簡単な説明】
【００３８】
【図１】本発明の第１の実施例のハンズフリー装置のブロック構成を示す図である。
【図２】第１の実施例の減衰量記憶部のデータ格納形式を説明するテーブルである。
【図３】第１の実施例のアッテネータの減衰量を選定する制御の流れを示すフローチャートである。
【図４】本発明の第２の実施例のハンズフリー装置のブロック構成を示す図である。
【図５】第２の実施例の電話番号・減衰量登録部のデータ格納形式を説明するテーブルである。
【図６】第２の実施例のアッテネータの減衰量を選定する制御の流れを示すフローチャートである。
【符号の説明】
【００３９】
１、１’    ハンズフリー装置
２        移動電話機本体
３        相手側固定電話機
４        相手側移動電話機
５        ナビゲーション・システム
６        マイク
７        スピーカ
８        ネットワーク
１２      減衰量記憶部
１２’    電話番号・減衰量登録部
１４      相手側電話判別部
１５、１５’    アッテネータ制御部
１６      Ｔｘアッテネータ
１７      Ｒｘアッテネータ
２１      現在位置検出部
３１、３２    無線基地局
【図１】
2005150816.tif 000003
【図２】
2005150816.tif 000004
【図３】
2005150816.tif 000005
【図４】
2005150816.tif 000006
【図５】
2005150816.tif 000007
【図６】
2005150816.tif 000008